(57)【要約】【課題】  ポケットを複数段形成した養殖かごを改良し，各段のポケットの上部の開口部を閉じ糸で縫うことなく，ワンタッチで各段のポケットの開口部を開閉できるようにし，開口部の開閉の手間と，開口部の開閉の作業時間を著しく節減できるようにする【解決手段】  適当長さと適当幅を有する下網地に，前記下網地と等幅若しくは幅狭で適当長さの上網地を若干の間隔を配して適数段にわたり重畳し，上部に適宜の長さを残して各上網地の両側を下網地に固定してポケットを形成する。各上網地の上縁部に開閉用桟を取り付け，各段の開閉用桟の両側にそれぞれ開閉用ロープの中間部を固定する。開閉用ロープの中間部は，各段の開閉用桟の両側にそれぞれ固定する際，開閉用ロープを下網地の目に通して下網地の裏側に引出した後，下網地の目に通して下網地の表側に引出して各段の開閉用桟に固定する。【選択図】  図１
2005087179.tif 000002
【特許請求の範囲】
【請求項１】
適当長さと適当幅を有する下網地に，前記下網地と等幅若しくは幅狭で適当長さの上網地を若干の間隔を配して適数段にわたり重畳し，各上網地の両側を上部に適宜の長さを残して下網地に固定し，各上網地の上縁部に開閉用桟を取り付け，各段の開閉用桟の両側にそれぞれ開閉用ロープの中間部を固定した養殖かご。
【請求項２】
開閉用ロープを各段ごとに下網地の目に通して下網地の裏側に引出した後，下網地の目に通して下網地の表側に引出して開閉用桟に固定した請求項１に記載の養殖かご。
【請求項３】
下網地の最上部に吊り下げ用補強材を取付け，この吊り下げ用補強材に吊り下げ用ロープを取付け，この吊り下げ用ロープに開閉用ロープを結び付けた請求項１又は請求項２に記載の養殖かご。
【発明の詳細な説明】
【技術分野】
【０００１】
本発明は，帆立貝のような貝類の養殖に用いる養殖かごに関するものである。
【背景技術】
【０００２】
帆立貝等の貝類の養殖において，育成の最終段階で，ポケットを複数段形成した養殖かごを用いることがある。                                                            
【０００３】
この種の養殖かごは，従来，図３に示したように，適当長さと適当幅を有する下網地１１に，前記下網地１１と等幅で適当長さの上網地１２を若干の間隔を配して適数段にわたり重畳し，上網地１２の両側を下網地１１に縫い付ける等して固定することにより，上部の開口した複数段のポケット１３を形成したものである。そして，下網地１１の最上部には樹脂被覆した鉄線（図示せず）が取り付けられていて吊り下げ用ロープ（図示せず）を取り付けるようになっている。また，養殖時における養殖かごの捩れを防止し，海中で縦に真っ直ぐになるように，各段のポケット１３間に合成樹脂被覆した鉄線１４が取り付けられている。
【０００４】
この養殖かごは，各段のポケット１３に適数個の帆立貝等の貝類を収納し，各段のポケット１３の上部の開口部１５を閉じ糸１６で縫って閉鎖して使用に供される。
【０００５】
この養殖かごは，四角錐形のいわゆるザブトンかご，円筒形のいわゆる丸かご等の養殖かごと比較して，潮通しをよく，帆立貝等を大きく育成でき，高収益を得ることができるという大きな利点がある反面，各段のポケット１３の上部の開口部１５を閉じ糸１６で縫って閉鎖して帆立貝等の貝類を収納し，閉じ糸１６を外して開口部１５を開いて帆立貝等の貝類を取り出すという手間があまりにかかるだけでなく，作業時間があまりにかかり，帆立貝等の衰弱が懸念されるという欠点がある。
【発明の開示】
【発明が解決しようとする課題】
【０００６】
そこで，本発明は，かかる養殖かごを改良し，ワンタッチで開口部を開閉できるようにし，開口部の開閉の手間と，開口部の開閉の作業時間を著しく節減できるようにすることを目的とするものである。
【課題を解決するための手段】
【０００７】
上記課題を解決するための本発明の構成は，適当長さと適当幅を有する下網地に，前記下網地と等幅若しくは幅狭で適当長さの上網地を若干の間隔を配して適数段にわたり重畳し，各上網地の両側を上部に適宜の長さを残して下網地に固定し，各上網地の上縁部に開閉用桟を取り付け，各段の開閉用桟の両側にそれぞれ開閉用ロープの中間部を固定したものである。
【０００８】
本発明は，上記構成において，開閉用ロープの中間部を各段の開閉用桟の両側にそれぞれ固定する際，開閉用ロープを下網地の目に通して下網地の裏側に引出した後，下網地の目に通して下網地の表側に引出して各段の開閉用桟に固定することができる。
【０００９】
また，本発明は，下網地の最上部に吊り下げ用補強材を取付け，この吊り下げ用補強材に吊り下げ用ロープを取付け，この吊り下げ用ロープに開閉用ロープを結び付けるようにすることもできる。
【００１０】
上記の構成により，本発明の養殖かごは，開閉用ロープを上網地の上部方向に引っ張って緊張させると，この開閉用ロープに接続された各段の開閉用桟が全て上網地の上部方向に引っ張られ，下網地と上網地によって形成されたポケットの全てが閉鎖される。反対に，開閉用ロープを緩めると，各上網地の両側が上部に適宜の長さを残して下網地に固定されているため，開閉用ロープに接続された各段の開閉用桟は上網地の下部方向に下がり，下網地と上網地によって形成されたポケットの全てが広く開口する。
【００１１】
そして，開閉用ロープを各段の開閉用桟に固定する際に，各段ごとに下網地の目に通して下網地の裏側に引出した後，下網地の目に通して下網地の表側に引出して開閉用桟に固定するようにすれば，開閉用ロープを引っ張って緊張させると，開閉用桟は下網地に密着するするので，より確実にポケットの全てを閉鎖することができる。
【００１２】
さらに，下網地の最上部に吊り下げ用補強材を取付け，この吊り下げ用補強材に吊り下げ用ロープを取付け，この吊り下げ用ロープに開閉用ロープを結び付けるようにすれば，養殖時のポケットの閉鎖を確実にすることができる。
【００１３】
尚，本発明の養殖かごは，必要に応じて吊り下げ用ロープに浮き玉を取付けると共に下網地の最下部に錘を取り付けることができる。
【発明の効果】
【００１４】
以上説明したように，本発明によれば，開閉用ロープを引っ張るだけで全てのポケットを確実に閉鎖することができるだげでなく，開閉用ロープを緩めれば全てのポケットを確実に開口することができるし，このポケットの開閉の操作をワンタッチで行うことができるのである。しかも，全てのポケットを広く，大きく開口することができるので，養殖対象の貝類のポケットへの収納，及び，養殖した貝類のポケットからの取り出しがすこぶる簡単である。
【実施例】
【００１５】
以下、 図１及び図２を参照して，本発明の実施の１形態を説明する。
【００１６】
まず，最上部に吊り下げ用補強材１を取付け，この吊り下げ用補強材１に吊り下げ用ロープ２を取付ける下網地３が用意される。この下網地３は，所望の段数のポケット４を設けることのできる長さと，所望の枚数の帆立貝を収納できるポケット４幅を得られる幅とを有している。
【００１７】
次に，前記下網地３と等幅若しくは幅狭の上網地５が用意される。この上網地５の長さは，ポケット４の望ましい深さに定められる。この上網地５は下網地３に若干の間隔を配して所望段数重畳され，各上網地５は上部に適宜の長さを残してその両側を下網地３に縫着などして固定される。こうして，所望段数のポケット４が形成される。
【００１８】
各上網地５の上縁部には合成樹脂被覆した鉄線等から成る開閉用桟６が取り付けられ，各段の開閉用桟６の両側には，それぞれ開閉用ロープ７の中間部が固定される。
【００１９】
開閉用ロープ７は，開閉用桟６の各段ごとに，下網地３の目に通して下網地３の裏側に引出した後下網地３の目に通して下網地３の表側に引出され，その中間部が開閉用桟６に固定されている。
【００２０】
そして，開閉用ロープ７は，前記吊り下げ用補強材１に取り付けられた吊り下げ用ロープ２に結び付けるようなっている。
【００２１】
下網地３と上網地５の目の大きさは，養殖対象の貝類の大きさを考慮して適宜定めることができる。また，必要に応じて，各段のポケット４の間に下網地３に養殖かごの捩れを防止する合成樹脂被覆した鉄線等から成る補強用桟を取り付けることができるし，吊り下げ用ロープ２に浮き玉（図示せず）を取付けると共に下網地３の最下部に錘（図示せず）を取り付けることができる。
【００２２】
この養殖かごの使用を説明すると，養殖対象の貝類をポケット４に収納し，或いは，養殖対象の貝類をポケット４から取り出す際には，開閉用ロープ７を吊り下げ用ロープ２から外す。このとき，開閉用ロープ７は固定された開閉用桟６の重量により緩み，各上網地５はその両側の上部が適宜の長さを残して下網地３に固定されているため，各上網地５の固定されていない両側上部が開閉用桟６の重量により外側に開閉用桟６とともに垂れ下がり，全てのポケット４が大きく開口する。これにより，容易に養殖対象の貝類をポケット４に収納し，或いは，取り出すことができる。養殖対象の貝類をポケット４に収納した後，下網地３の上部方向に開閉用ロープ７を引っ張って緊張させると，開閉用桟６が開閉用ロープ７により上部方向に引っ張られ，かつ，前記の通り，開閉用ロープ７が開閉用桟６の各段ごとに下網地３の目に通して下網地３の裏側に引出した後下網地３の目に通して下網地３の表側に引出されてその中間部が開閉用桟６に固定されているため，下網地３に密着し，全てのポケット４が閉鎖される。開閉用ロープ７をこの状態で吊り下げ用ロープ２に結び付けると，全てのポケット４の閉鎖状態が固定される。そこで，この状態で海中に沈め，養殖を行う。
【００２３】
このように，この養殖かごの全てのポケット４の開閉操作を，開閉用ロープ７を緊張させ，或いは，弛緩させることにより行うことができるのであり，かつ，全てのポケット４の開閉操作をワンタッチですることができる。
【図面の簡単な説明】
【００２４】
【図１】本発明の１実施形態に係る養殖かごのポケットを開放した状態を示す網目の図示を省略した概略正面図である。
【図２】図１の実施形態に係る養殖かごのポケットを開いた状態における網目，開閉用桟並びに開閉用ロープの図示を省略した概略正面図である。
【図３】従来の養殖かごの網目の図示を省略した概略正面図である。
【符号の説明】
【００２５】
１        吊り下げ用補強材
２        吊り下げ用ロープ
３        下網地
４        ポケット
５        上網地
６        開閉用桟
７        開閉用ロープ
１１        下網地
１２        上網地
１３        ポケット
１４        鉄線
１５        開口部
１６        閉じ糸
【図１】
2005087179.tif 000003
【図２】
2005087179.tif 000004
【図３】
2005087179.tif 000005